(57)【特許請求の範囲】
【請求項１】
情報機器が収納されたラック内の環境を監視するために、ラック内に供給される電源の電流情報を含む環境情報を入手して計測値を外部に送信する複数のラック管理装置と、通信ネットワークを介して前記ラック管理装置と通信して前記計測値を入手し、外部からラックを監視する監視装置とを有するラック監視システムにおいて、
前記監視装置は、１台の前記ラック管理装置に対してＩＰアドレス設定を含むシステム設定、ＳＮＭＰ設定、更にユーザ登録設定を行う機能、及びこれらの初期設定が成された１台の前記ラック管理装置から、初期設定データをダウンロードして保存する設定データ保存部及び読み取り制御部を有する一方、
他の前記ラック管理装置は、前記監視装置から前記設定データ保存部に保存された前記初期設定データが送信されたら、当該初期設定データで初期設定を実施する設定制御部を有することを特徴とするラック監視システム。
【請求項２】
前記ラック管理装置は、前記環境情報を表示するためのＷｅｂページと、前記Ｗｅｂページのヘッダーエリアに表示されるロゴマーク及び装置名称のうちの少なくとも一方を変更操作するためのＷｅｂページと、
変更対象のロゴマーク或いは装置名称を複数種類記憶するヘッダー情報記憶部と、
前記ヘッダーエリアの表示変更を制御する表示制御部とを有する一方、
前記監視装置は、前記Ｗｅｂページを表示するためのＷｅｂブラウザ及びディスプレイと、前記ヘッダーエリアの表示を変更操作する操作部とを有することを特徴とする請求項１記載のラック監視システム。
【発明の詳細な説明】
【技術分野】
【０００１】
本発明は、データセンタ等に設置された個々のラック内の状況を監視するラック監視システムに関し、特に監視画面の設定や変更の操作性の改良に関する。
【背景技術】
【０００２】
従来より、多数のラックが列設されて個々のラックに複数のサーバが収容されたデータセンタでは、ラック内の状況を外部から監視することが出来るようラック内の電流、温度等のデータを収集して外部に送信するラック管理装置が例えばラック毎に設けられ、外部からパーソナルコンピュータ等の監視装置によりラック管理装置の計測データを入手して外部から管理できるラック管理システムがある。例えば特許文献１では、ラック毎に制御監視装置（ラック管理装置に相当）が設置され、ＬＡＮを介して管理装置（監視装置に相当）が設けられている。
このようなシステムには、ラック管理装置或いは別途設けたサーバにラック内の状況を表示するためのＷｅｂサイトが設けられ、そのＷｅｂサイトに監視装置からアクセスしてＷｅｂページを表示させるよう構成されたものがある（例えば、特許文献２参照）。
【先行技術文献】
【特許文献】
【０００３】
【特許文献１】特開２００２−３１９０８２号公報
【特許文献２】特開２０１３−２３８９５８号公報
【発明の概要】
【発明が解決しようとする課題】
【０００４】
ラック内のデータを収集するラック管理装置は、設置されるラックの種類や管理者の要望により接続されるセンサや機器の種類、更には接続数が異なるため設定が必要であるし、設置時に通信ネットワークを介して監視装置と通信を実施するための設定も行われる。この初期設定操作は、監視装置等を使用して設定のためのＷｅｂページを開いて行われるが、複数の設定項目があり面倒であるし、特にラック数が多く複数のラック管理装置を設定しなければならない場合は、作業者の負担となっていた。
【０００５】
また、設定操作やラック状態を監視する際に表示される上記Ｗｅｂページは、設定や状態の把握がし易いようにレイアウト等が工夫されているが、Ｗｅｂページ上のタイトル文字や会社のロゴマーク等を変更して画面にオリジナリティを持たせたいとの要望があり、この要望に応えるには新たな画像のインストールや文字フォントの追加等が必要となり時間とコストを要した。
【０００６】
そこで、本発明はこのような問題点に鑑み、ラック内のデータを収集するラック管理装置が多数であっても、各ラック管理装置の初期設定を簡易な操作で実施でき、更にＷｅｂページのタイトル文字等も容易に変更できるラック監視システムを提供することを目的としている。
【課題を解決するための手段】
【０００７】
上記課題を解決する為に、請求項１の発明は、情報機器が収納されたラック内の環境を監視するために、ラック内に供給される電源の電流情報を含む環境情報を入手して計測値を外部に送信する複数のラック管理装置と、通信ネットワークを介してラック管理装置と通信して計測値を入手し、外部からラックを監視する監視装置とを有するラック監視システムにおいて、監視装置は、１台のラック管理装置に対してＩＰアドレス設定を含むシステム設定、ＳＮＭＰ設定、更にユーザ登録設定を行う機能、及びこれらの初期設定が成された１台のラック管理装置から、初期設定データをダウンロードして保存する設定データ保存部及び読み取り制御部を有する一方、他のラック管理装置は、監視装置から設定データ保存部に保存された初期設定データが送信されたら、当該初期設定データで初期設定を実施する設定制御部を有することを特徴とする。
この構成によれば、初期設定対象のラック管理装置が複数であっても、１台のラック管理装置を初期設定すれば、他のラック管理装置はコピー操作で初期設定でき、簡易な操作で複数のラック管理装置の初期設定ができる。
【０００８】
請求項２の発明は、請求項１に記載の構成において、ラック管理装置は、環境情報を表示するためのＷｅｂページと、Ｗｅｂページのヘッダーエリアに表示されるロゴマーク及び装置名称のうちの少なくとも一方を変更操作するためのＷｅｂページと、変更対象のロゴマーク或いは装置名称を複数種類記憶するヘッダー情報記憶部と、ヘッダーエリアの表示変更を制御する表示制御部とを有する一方、監視装置は、Ｗｅｂページを表示するためのＷｅｂブラウザ及びディスプレイと、ヘッダーエリアの表示を変更操作する操作部とを有することを特徴とする。
この構成によれば、監視装置側からＷｅｂページのヘッダーエリアの表示の変更操作ができ、且つ選択操作する簡易な操作で変更できるため、ヘッダーエリアの表示を容易に変更できる。
【発明の効果】
【０００９】
本発明によれば、監視装置の監視対象となるラック管理装置が複数であっても、１台のラック管理装置を初期設定すれば、他のラック管理装置は一括コピーにより初期設定でき、簡易な操作で複数のラック管理装置の初期設定ができる。
【図面の簡単な説明】
【００１０】
【図１】本発明に係るラック監視システムの構成図である。
【図２】Ｗｅｂ画面のカスタマイズ説明図である。
【図３】Ｗｅｂ画面のカスタマイズ説明図である。
【発明を実施するための形態】
【００１１】
以下、本発明を具体化した実施の形態を、図面を参照して詳細に説明する。図１は本発明に係るラック監視システムの構成図であり、１はラック内の温度等のデータを収集するラック管理装置、２はラックの状況を監視する監視装置である。ラック管理装置１と監視装置２とはインターネット等の通信ネットワークＮを介して接続されて通信が実施される。
【００１２】
ラック管理装置１は、ラック扉（図示せず）の電気錠１６が接続される出力ＩＦ１１、ラック扉の開閉を検知する扉センサ１７が接続される入力ＩＦ１２ａ、ラック内の機器に電源を供給する電源ケーブル（図示せず）に流れる電流を計測するための電流センサ１８、この電源ケーブルの電圧を計測するための電圧センサ１９、そしてラック内の温度を計測するための温度センサ２０等が接続される計測入力ＩＦ１２ｂ、計測データに加えてＨＴＭＬ、複数のＷｅｂページから成るＷｅｂ画像ファイル、設定データ等を記憶する記憶部１３、ラック管理装置１を制御する管理装置ＣＰＵ１４、通信ネットワークＮを介して監視装置２と通信するための通信ＩＦ１５等を備えている。
【００１３】
監視装置２は、Ｗｅｂブラウザ２１ａを備えた監視装置ＣＰＵ２１、Ｗｅｂページを表示するためのディスプレイ２２、各種操作を行う操作部２３、後述する設定データ等を記憶する設定データ保存部２４、通信ネットワークＮを介してラック管理装置１と通信するための通信ＩＦ２５等を備え、例えばパーソナルコンピュータにより構成することができる。
【００１４】
上記の如く構成されたラック監視システムは、稼働させるにあたり機器の初期設定が成されるが、ラック管理装置１の初期設定は次のように行われる。まず、ラック管理装置１は、工場出荷時に自身のＩＰアドレスや装置名称等、一律にシステムの仮設定が成されている。一方、監視装置２にはラック管理装置１の仮設定されているシステムデータが登録されており、この仮情報を基に通信ネットワークＮを介して設定対象のラック管理装置１にアクセスが可能となっている。
尚、このとき設定対象のラック管理装置１は複数あるが、全て同一のアドレスが仮設定されている可能性があるため、通信エラーが発生しないよう設定する段階で順次通信ネットワークＮへ接続される。
【００１５】
設定対象のラック管理装置１にアクセスした監視装置２は、ラック管理装置１の記憶部１３から所定の初期設定のためのＷｅｂページを選択してディスプレイ２２に表示し、表示された案内に従って初期設定が実施される。このとき、ＩＰアドレスや装置名称等のシステム設定、マネージャアドレスやパスワード等のＳＮＭＰ設定、時刻設定、パスワード等のユーザ登録設定、使用する電流センサ種類等の電流入力設定、温度センサ等のセンサ設定、ＳＭＴＰサーバ等のＥメール設定、更に測定間隔等の装置詳細設定が行われる。
【００１６】
こうして最初のラック管理装置１の初期設定がマニュアル操作で終了したら、設定内容を監視装置２に一括ダウンロードして初期設定データを設定データ保存部２４に保存する。具体的に、監視装置２の所定の操作により、初期設定されたラック管理装置１から設定データをコピーするためのＷｅｂページを開き、表示されたコピーボタン（図示せず）をクリック操作する。この操作で、設定されたデータが一括ダウンロードされ、監視装置ＣＰＵ２１の制御により設定データ保存部２４に保存される。このとき、例えばＣＳＶ形式のファイルで保存される。
【００１７】
２台目の初期設定は、こうしてダウンロードして設定データ保存部２４に保存されたファイルをラック管理装置１にアップロードすることで行われる。まず初期設定する２台目のラック管理装置１を通信ネットワークＮに接続し、監視装置２からアクセスして設定データをアップロードするための所定のＷｅｂページを入手して監視装置２のディスプレイ２２に表示させる。
入手したＷｅｂページの指示に基づく操作を行うことで、監視装置２に保存されたファイルがアップロードされ、２台目の初期設定が一括して実施される。
尚、２台目及びそれ以降のラック管理装置１においても一部の設定はマニュアル操作で実施され、例えばＩＰアドレス、装置名称が個々に入力され、一括設定されたデータから書き換えられる。
【００１８】
こうして３台目以降は２台目と同様に初期設定が行われ、ラック管理装置１は自身の設定項目アップロードのためのＷｅｂページ画面を監視装置２に表示させて監視装置２が記憶する初期設定ファイルをアップロードさせることで、初期設定が実施される。
【００１９】
このように、監視装置２の監視対象となるラック管理装置１が複数であっても、１台のラック管理装置１を初期設定すれば、他のラック管理装置１はコピー操作で初期設定でき、簡易な操作で複数のラック管理装置１の初期設定ができる。
【００２０】
また、このとき表示されるＷｅｂページ、或いはラックの状態を監視する監視画面のＷｅｂページのヘッダーエリアのカスタマイズを以下の様に行うことができる。図２はカスタマイズ前のＷｅｂページを示し、図３はカスタマイズ後のＷｅｂページを示している。この図を参照して説明する。
図２において、Ｅ１がヘッダーエリアであり、装置名称が表示されたヘッダー部（１）と、ロゴマークが表示されたヘッダー部（２）とで構成され、双方がカスタマイズ可能となっている。ヘッダーエリアの変更操作は、監視装置２からラック管理装置１にアクセスして図２に示すような変更対象のＷｅｂ画面を開いて行われ、ラック管理装置１の記憶部１３に記憶されているファイルから表示変更に必要な情報を読み込む。装置名称とロゴマークの双方を変更する場合は、装置名称設定ファイルとタイトル設定ファイルのファイルが読み込まれる。
読み込んだファイルから、使用者の好みに合った装置名称及びタイトルが選択されて、ロゴマーク及び装置名称が変更される。
【００２１】
尚、図３ではロゴマークをタイトルに変更した場合を示しており、このようにロゴマークは他の文言に変更することも容易に実施できる。また、装置名称も自由に設定でき、監視装置２の操作部２３の操作により作成された装置名称をラック管理装置１の装置名称設定ファイルに保存することで、選択肢を広げることが可能となっている。
【００２２】
このように、監視装置２側からＷｅｂページのヘッダーエリアＥ１の表示の変更操作ができ、且つ選択操作する簡易な操作で変更できるため、ヘッダーエリアＥ１の表示を容易に変更できる。
【００２３】
尚、上記実施形態では、ヘッダーエリアＥ１に表示された装置名称、ロゴマークの双方を変更可能に構成されているが、勿論いずれか一方のみ変更可能としても良い。
【符号の説明】
【００２４】
１・・ラック管理装置、２・・監視装置、１３・・記憶部（ヘッダー情報記憶部）、１４・・管理装置ＣＰＵ（設定制御部、表示制御部）、２１・・監視装置ＣＰＵ（読み取り制御部）、２２・・ディスプレイ、２３・・操作部、２４・・設定データ保存部、Ｎ・・通信ネットワーク、Ｅ１・・ヘッダーエリア。
【図１】
0006545534.tif 000002
【図２】
0006545534.tif 000003
【図３】
0006545534.tif 000004